(57)【要約】【課題】従来のテレビ中継送信機およびその設置方法を改良し、テレビ中継送信機を設置するのに要する現地（設置場所）での工期を短縮すると共に、セットアップや機器調整の作業性を向上させる。【解決手段】作業環境の整った工場でテレビ中継送信機を局舎ボックスにビルトインして局舎ボックス付テレビ中継送信機を製作し（工程１から工程２）、局舎ボックス付テレビ中継送信機の調整作業を行った後（工程３）、局舎ボックス付テレビ中継送信機を設置場所に搬送して設置する（工程４から工程５）。【選択図】図３
2007142528.tif 000002
【特許請求の範囲】
【請求項１】
テレビ中継送信機と、
前記テレビ中継送信機がビルトインされる局舎ボックスと、
から構成されることを特徴とする局舎ボックス付テレビ中継送信機。
【請求項２】
請求項１に記載の局舎ボックス付テレビ中継送信機において、
さらに、前記テレビ中継送信機の付属機器を備えると共に、前記付属機器を前記局舎ボックスにビルトインしたことを特徴とする局舎ボックス付テレビ中継送信機。
【請求項３】
工場でテレビ中継送信機を局舎ボックスにビルトインして局舎ボックス付テレビ中継送信機を製作し、前記局舎ボックス付テレビ中継送信機の調整作業を行った後、前記局舎ボックス付テレビ中継送信機を設置場所に搬送して設置することを特徴とする局舎ボックス付テレビ中継送信機の設置方法。
【請求項４】
請求項３に記載の局舎ボックス付テレビ中継送信機の設置方法において、
前記工場で、さらに、前記テレビ中継送信機の付属機器を前記局舎ボックスにビルトインすると共に、前記付属機器の調整作業を行うことを特徴とする局舎ボックス付テレビ中継送信機の設置方法。
【発明の詳細な説明】
【技術分野】
【０００１】
本発明は、局舎ボックス付テレビ中継送信機およびその設置方法に関する。
【背景技術】
【０００２】
テレビ放送では、親局から送信された電波の受信が困難な地域に対して、親局からの電波を受信し、増幅および送信を行うテレビ中継送信機を設けることで、当該地域における電波の受信を可能にしている。テレビ中継送信機の一例として、例えば下記の特許文献１に記載される技術がある。
【特許文献１】特開２００３−２８９２７５号公報
【発明の開示】
【発明が解決しようとする課題】
【０００３】
テレビ中継送信機の設置は、従来、以下の手順で行われていた。先ず、テレビ中継送信機の設置場所に、テレビ中継送信機を収容する局舎を設置する。その後、テレビ中継送信機を構成する複数の機器、ならびにバッテリなどの付属機器を個別に現地に搬送し、それらのセットアップを行う。そして、テレビ中継送信機のセットアップが完了したところで、運用開始前の最終的な機器調整を行う。
【０００４】
このように、従来は局舎を現地に設置した後にテレビ中継送信機の搬送やセットアップ、調整作業を行っていたことから、現地での工期が長期化していた。また、テレビ中継送信機は、親局から送信された電波の受信が困難な地域に対して設置されるという性格上、山間部などの比較的僻地に設置されることが多い。そのため、現地の作業環境（周囲環境や設備など）は必ずしも良いとは限らず、セットアップや機器調整の作業性の点で改善の余地を残していた。
【０００５】
従って、この発明の目的は従来のテレビ中継送信機およびその設置方法を改良し、テレビ中継送信機を設置するのに要する現地（設置場所）での工期を短縮すると共に、セットアップや機器調整の作業性を向上させることにある。
【課題を解決するための手段】
【０００６】
上記した課題を解決するため、本発明にあっては、テレビ中継送信機と、前記テレビ中継送信機がビルトインされる局舎ボックスとから局舎ボックス付テレビ中継送信機を構成することを特徴とする。
【０００７】
また、本発明に係る局舎ボックス付テレビ中継送信機の設置方法にあっては、工場でテレビ中継送信機を局舎ボックスにビルトインして局舎ボックス付テレビ中継送信機を製作し、前記局舎ボックス付テレビ中継送信機の調整作業を行った後、前記局舎ボックス付テレビ中継送信機を設置場所に搬送して設置することを特徴とする。
【発明の効果】
【０００８】
本発明にあっては、テレビ中継送信機とそれをビルトインする局舎ボックスとから局舎ボックス付テレビ中継送信機を構成するようにしたので、工場（製作現場）でテレビ中継送信機のセットアップや調整作業を行うことができる。そのため、テレビ中継送信機を設置するのに要する現地（設置場所）での工期を短縮することができると共に、セットアップや機器調整の作業性を向上させることができる。
【０００９】
また、本発明に係る局舎ボックス付テレビ中継送信機の設置方法にあっては、工場でテレビ中継送信機を局舎ボックスにビルトインして局舎ボックス付テレビ中継送信機を製作し、前記局舎ボックス付テレビ中継送信機の調整作業を行った後、前記局舎ボックス付テレビ中継送信機を設置場所に搬送して設置するようにしたので、従来のように局舎の設置後にテレビ中継送信機の搬送、セットアップおよび調整作業を行う必要がない。そのため、テレビ中継送信機を設置するのに要する現地（設置場所）での工期を短縮することができる。また、工場（製作現場）でテレビ中継送信機のセットアップや機器調整を行うことから、それらの作業性を向上させることができる。
【発明を実施するための最良の形態】
【００１０】
以下、本発明に係る局舎ボックス付テレビ中継送信機およびその設置方法を実施するための最良の形態について、図面を参照して説明する。
【００１１】
図１は、本発明に係る局舎ボックス付テレビ中継送信機を表す正面図である。
【００１２】
図１において、符号１は局舎ボックス付テレビ中継送信機を示す。局舎ボックス付テレビ中継送信機１は、テレビ中継送信機２と、それをビルトインする局舎ボックス（収容架）３とから構成される。テレビ中継送信機２は、例えば山間部などに設置され、親局から送信された電波を受信および増幅し、親局からの電波の受信が困難な地域に送信する。尚、テレビ中継送信機２は、例えば地上波デジタル放送用の中継送信機である。
【００１３】
局舎ボックス３の外形は略直方体を呈し、その大きさは例えば、幅および奥行きがそれぞれ１４００ｍｍ程度、高さが２５００ｍｍ程度に設定される。尚、局舎ボックス３の前面には開閉扉が設けられるが、図１ではその図示を省略している。
【００１４】
図１に示すように、テレビ中継送信機２は複数個の機器から構成される。テレビ中継送信機２は、例えば、受信アンテナ（図１で図示せず）と、入力分波器４と、複数個（８個）の受信変換器Ｒｘｎ（ｎ：１から８）と、複数個（８個）の補償器Ｃｎ（ｎ：１から８）と、複数個（８個）の送信変換器Ｔｘｎ（ｎ：１から８）と、８波合成器５と、２分配器６と、複数個（２個）のＭＣＰＡ（Multi Channel Power Amp．）７と、２合成器８と、出力フィルタ９と、出力アンテナ（図１で図示せず）と、Ｒｂ発振器１０と、１０ＭＨｚ分配器１１と、ＤＣ電源板１２と、ＭＣＣＢ１３とを備える。
【００１５】
テレビ中継送信機２を構成する上記した各機器は、いずれも局舎ボックス３にビルトインされる。具体的には、局舎ボックス３の内部には２列のラック１５が固定され、その一方の列に、テレビ中継送信機２を構成する各機器のうち受信アンテナと送信アンテナを除く機器が搭載される。受信アンテナと送信アンテナは、局舎ボックス３の外側に取り付けられる。尚、図１においてラック１５の中の「Ｂ・Ｐ」とは、機器が搭載されていないブランク・パネルを意味する。
【００１６】
局舎ボックス付テレビ中継送信機１はさらに、テレビ中継送信機２の付属機器、例えば、バッテリ１６やモニタＴＶ１７、各種計器類１８を備える。これら付属機器は、ラック１５の他方の列に搭載されることにより、局舎ボックス３にビルトインされる。
【００１７】
尚、図示は省略するが、局舎ボックス３の側面や背面、底面には、吸気口や排気口、ケーブル引き込み口、電源線引き込み口などが設けられる。局舎ボックス３の内部は吸気口や排気口を介して換気される。また、受信アンテナのケーブルと送信アンテナのケーブルは、ケーブル引き込み口を介して局舎ボックス３の内部に引き込まれ、それぞれ入力分波器４と出力フィルタ９に接続される。さらに、電源線引き込み口からは電源線が引き込まれ、ＤＣ電源板１２に接続される。尚、電源としては、例えばＡＣ１００Ｖの家庭用電源が使用される。
【００１８】
局舎ボックス付テレビ送信機１は、テレビ中継送信機２と各付属機器を局舎ボックス３にビルトインした状態で設置場所まで搬送される。そのため、局舎ボックス３とラック１５の間、ラック１５とそこに搭載される機器の間、および局舎ボックス３の底面の少なくともいずれかには、搬送時の振動から搭載機器を保護するための耐震機構が設けられる。
【００１９】
図２は、上記した各機器の接続関係を表すブロック図である。
【００２０】
図２に示すように、受信アンテナ２０は入力分波器４に接続され、入力分波器４は各受信変換器Ｒｘｎに接続される。受信変換器Ｒｘｎはそれぞれ補償器Ｃｎに接続され、各補償器Ｃｎはそれぞれ送信変換器Ｔｘｎに接続される。これら受信変換器Ｒｘｎ，補償器Ｃｎおよび送信変換器Ｔｘｎにより、計８個の基本部Ａ，Ｂ，Ｃ，Ｄ，Ｅ，Ｆ，Ｇ，Ｈが構成される。
【００２１】
各送信変換器Ｔｘｎは８波合成器５に接続され、８波合成器５は２分配器６に接続される。２分配器６は２個のＭＣＰＡ７に接続され、ＭＣＰＡ７は２合成器８を介して出力フィルタ９に接続される。出力フィルタ９には、前述の如く出力アンテナ２１が接続される。
【００２２】
受信アンテナ２０で受信された電波（８波）は入力分波器４で８波に分波される。入力分波器４の出力は各基本部Ａ，Ｂ，Ｃ，Ｄ，Ｅ，Ｆ，Ｇ，Ｈに入力され、そこで歪補償などが施された後、８波合成器５で合成される。８波合成器５の出力は、２分配器６で分配されて２個のＭＣＰＡ７に入力され、そこで増幅させられた後、２合成器８で再度合成される。２合成器８の出力は出力フィルタ９を介して送信アンテナ２１から送信される。
【００２３】
また、Ｒｂ発振器１０には、前述した１０ＭＨｚ分配器１１が接続される。１０ＭＨｚ分配器１１は、図示の如く２個の８分配器からなり、１０ＭＨｚの基準信号を受信変換器Ｒｘｎと送信変換器Ｔｘｎに供給する。
【００２４】
また、ＤＣ電源板１２にはＭＣＣＢ１３が接続される。ＤＣ電源板１２に入力されたＡＣ１００Ｖ電源は、所定の電圧の直流電流に変換された後、ＭＣＣＢ１３を介してＭＣＰＡ７や各基本部などに動作電源として供給される。尚、ＤＣ電源板１２とＭＣＣＢ１３の間にはバッテリ１６が接続され、停電などによってＡＣ１００Ｖ電源の供給が断たれたときはバッテリ１６から各機器に電力が供給される。
【００２５】
また、モニタＴＶ１７は出力フィルタ９と送信アンテナ２１の間に接続され、計器類１８は任意の計測ポイントに接続される。モニタＴＶ１７と計器類１８は、それぞれテレビ中継送信機２の運転状態を表示する。
【００２６】
次いで、局舎ボックス付テレビ中継送信機１の設置方法について説明する。図３は、局舎ボックス付テレビ中継送信機１の設置方法を示す工程図である。
【００２７】
先ず、工程１で、局舎ボックス３の組み立てを行う。次いで工程２で、局舎ボックス３にテレビ中継送信機２とその付属機器（バッテリ１６、モニタＴＶ１７、計器類１８）をビルトインし、局舎ボックス付テレビ中継送信機１を製作する。具体的には、局舎ボックス３の内部にラック１５を固定すると共に、ラック１５に上述した各機器を搭載する。そして、各機器を図２で説明した如く接続し、テレビ中継送信機２および付属機器のセットアップを完了する。
【００２８】
次いで工程３で、テレビ中継送信機２と付属機器の動作テストや調整作業を行い、それらの運用が開始可能な状態とする。尚、機器の調整としては、例えば、各基本部を操作することにより、出力レベルの調整やスケルチレベルの設定を行う。以上の工程１から工程３は、いずれも作業環境の整った（種々の設備の整った）工場（製作現場）で行われる作業である。
【００２９】
次いで工程４で、局舎ボックス付テレビ中継送信機１を設置場所に搬送する。局舎ボックス付テレビ中継送信機１の搬送には、耐震性を考慮して、例えばエアーサスペンションを搭載したトラックなどを使用する。
【００３０】
次いで工程５で、局舎ボックス付テレビ中継送信機１を設置場所に設置する。具体的には、設置場所に設けられたコンクリート基礎に、局舎ボックス３の底面をアンカーで固定する。また、ＤＣ電源板１２とＡＣ１００Ｖ電源の接続も行う。そして、工程６で電源を投入し、テレビ中継送信機１の運用を開始する。前述したように、テレビ中継送信機２と付属機器の動作テストや調整作業は工場で完了し、それらの運用が開始可能な状態とされていることから、設置作業終了後の工程６では、電源を投入することで即座にテレビ中継送信機２の運用を開始することができる。
【００３１】
以上のように、本発明にあっては、テレビ中継送信機２とそれをビルトインする局舎ボックス３とから局舎ボックス付テレビ中継送信機１を構成するようにしたので、工場（製作現場）でテレビ中継送信機のセットアップや調整作業を行うことができる。そのため、テレビ中継送信機を設置するのに要する現地（設置場所）での工期を短縮することができると共に、セットアップや機器調整の作業性を向上させることができる。
【００３２】
さらに、本発明に係る局舎ボックス付テレビ中継送信機１にあっては、局舎ボックス３にテレビ中継送信機２の付属機器（バッテリ１６、モニタＴＶ１７、計器類１８）もビルトインするようにしたので、作業環境の良くない現地での工期をより短縮することができると共に、セットアップや機器調整の作業性をより向上させることができる。
【００３３】
また、本発明に係る局舎ボックス付テレビ中継送信機の設置方法にあっては、作業環境の整った工場でテレビ中継送信機２を局舎ボックス３にビルトインして局舎ボックス付テレビ中継送信機１を製作し（工程１から工程２）、局舎ボックス付テレビ中継送信機１の調整作業を行った後（工程３）、局舎ボックス付テレビ中継送信機１を設置場所に搬送して設置する（工程４から工程５）ようにしたので、従来のように現地（設置場所）において、局舎の設置後に、テレビ中継送信機の搬送、セットアップおよび調整作業を行う必要がない。そのため、テレビ中継送信機を設置するのに要する現地（設置場所）での工期を短縮することができる。また、作業環境の整った工場（製作現場）でテレビ中継送信機のセットアップや機器調整を行うことから、それらの作業性を向上させることができる。
【００３４】
さらに、本発明に係る局舎ボックス付テレビ中継送信機の設置方法にあっては、作業環境の整った工場でテレビ中継送信機２の付属機器（バッテリ１６、モニタＴＶ１７、計器類１８）を局舎ボックス３にビルトインする（工程２）と共に、付属機器の調整作業（工程３）を行うようにしたので、作業環境の良くない現地での工期をより短縮することができると共に、セットアップや機器調整の作業性をより向上させることができる。
【００３５】
尚、上記実施例において、テレビ中継送信機２を構成する機器の具体例を挙げたが、それらは例示に過ぎず、機器の種類や個数は中継送信機の仕様に応じて適宜変更してもよい。これは、付属機器に関しても同様であり、例えばバッテリ１６に替えて発電機を搭載するようにしてもよい。
【００３６】
また、局舎ボックス３の形状や大きさも、上記に限られるものではない。さらに、使用する電源をＡＣ１００Ｖとしたが、ＡＣ２００Ｖ、あるいはその他の電源を使用してもよい。
【図面の簡単な説明】
【００３７】
【図１】本発明に係る局舎ボックス付テレビ中継送信機の正面図である。
【図２】図１に示す各機器の接続関係を表すブロック図である。
【図３】図１に示す局舎ボックス付テレビ中継送信機の設置方法を表す工程図である。
【符号の説明】
【００３８】
１：局舎ボックス付テレビ中継送信機、  ２：テレビ中継送信機、  ３：局舎ボックス、  １６：バッテリ（付属機器）、  １７：モニタＴＶ（付属機器）、  １８：計器類（付属機器）
【図１】
2007142528.tif 000003
【図２】
2007142528.tif 000004
【図３】
2007142528.tif 000005